(57)【要約】【課題】デザイン性の自由度を確保するとともに、スピーカの音響性能が良好な携帯端末を提供する。【解決手段】本発明の携帯端末１は、第１筐体２と、第１筐体２に重ね合わせ可能に連結された第２筐体３と、第１筐体２に設けられたスピーカ１１と、第１筐体２の、第２筐体３と重ね合わされる側の面に設けられた放音孔２１とを備え、第１筐体２と第２筐体３とを重ね合わせた状態で、両者の対向する面同士の端部に第１筐体２と第２筐体３との間隔を大きくすることで放射部１２が形成され、放音孔２１が設けられている面に対して傾斜し、且つ、放射部１２に面する反射面３１が形成されている。【選択図】図７
2009038430.tif 000002
【特許請求の範囲】
【請求項１】
第１筐体と、
前記第１筐体に重ね合わせ可能に連結された第２筐体と、
前記第１筐体に設けられたスピーカと、
前記第１筐体の、前記第２筐体と重ね合わされる側の面に設けられた放音孔と、
前記第１筐体と前記第２筐体とを重ね合わせた状態で、前記第１筐体と前記第２筐体との間に設けられた放射部と、
前記放音孔が設けられている面に対して傾斜し、且つ、前記放射部に面する反射面と、を備えた携帯端末。
【請求項２】
第１筐体と、
前記第１筐体に重ね合わせ可能に連結された第２筐体と、
前記第１筐体に設けられたスピーカと、
前記第１筐体における、前記第２筐体と重ね合わされる側の面に設けられた放音孔と、を備えた携帯端末であって、
前記第１筐体と前記第２筐体とを重ね合わせた状態で、前記第１筐体と前記第２筐体との対向する面同士の端部に、前記放音孔の前記端部に近い側の縁部と前記第１筐体に対向する前記第２筐体の面との距離が、前記放音孔の前記端部の反対側の縁部と前記第１筐体に対向する前記第２筐体の面との距離より長い放射部が形成されていることを特徴とする携帯端末。
【請求項３】
前記第１筐体は情報を表示する表示部を有し、前記表示部が一対の短辺と一対の長辺とによって囲われた略長方形の面に形成された請求項１又は２に記載の携帯端末。
【請求項４】
前記第１筐体が前記第２筐体に対して可動に連結され、前記第１筐体を前記表示部が形成された面の長手方向に移動させた状態で、前記第２筐体の露呈する面に第１操作部が設けられている請求項３に記載の携帯端末。
【請求項５】
前記第２筐体に対して可動に連結された第３筐体を備え、前記第３筐体を前記表示部が形成された面の短手方向に移動させた状態で、前記第３筐体の露呈する面に第２操作部が設けられている請求項３に記載の携帯端末。
【請求項６】
前記第１筐体及び前記第２筐体を前記第３筐体に対して同時にスライド移動させることができる請求項５に記載の携帯端末。
【請求項７】
前記スピーカが、前記第１筐体の前記短辺近傍に少なくとも１個ずつ設けられている請求項３から６のいずれか１つに記載の携帯端末。
【請求項８】
前記第２筐体は、情報を表示する表示部を有し、前記表示部が一対の短辺と一対の長辺とによって囲われた略長方形の面に形成された長方体形状を有し、前記反射面が、前記短辺の少なくとも一方の角部を面取りした面である請求項１又は２に記載の携帯端末。
【発明の詳細な説明】
【技術分野】
【０００１】
本発明は、携帯端末に関し、特に、スピーカの放音孔を外観上で目立たなくさせ、かつ表示部側の音響性能を向上させることができる携帯端末に関する。
【背景技術】
【０００２】
現在、携帯電話やＰＤＡなどの携帯端末では、複数の筐体から構成され、筐体同士を互いにスライドさせる機構のものがある。スライド機構としては、例えば、互いにスライドする筐体同士の一方にガイド溝などを形成し、他方の筐体をガイド溝に沿って移動させる構成である。スライド機構を有する従来の携帯端末としては、例えば、下記特許文献に示すものがある。
また、携帯端末は、表示部に表示されている情報に伴う音などをスピーカから外部へ響かせるための放音孔が筐体に設けられている。
【０００３】
【特許文献１】特開２００６−３３３０７９号公報
【特許文献２】特開２００５−００３７９４号公報
【特許文献３】特開２００７−２０１８０号公報
【発明の開示】
【発明が解決しようとする課題】
【０００４】
ところで、スピーカの放音孔を筐体外面に露呈した場所に設けることで、音響性能を確保することができるが、一方で、デザイン性の向上等を目的として、放音孔を筐体内部に隠したいという要望があった。
しかし、スピーカの放音孔を筐体内部に隠した構成とする場合、放音孔が他の筐体の面などによってふさがれてしまうことに起因して、表示部を視認している使用者側にスピーカからの音が伝わりにくくなり、音響性能が低下してしまう点で改善の余地があった。
【０００５】
本発明は、上記事情に鑑みてなされたもので、その目的は、デザイン性の自由度を確保するとともに、スピーカの音響性能が良好な携帯端末を提供することにある。
【課題を解決するための手段】
【０００６】
本発明の上記目的は、下記構成によって達成される。
（１）第１筐体と、
前記第１筐体に重ね合わせ可能に連結された第２筐体と、
前記第１筐体に設けられたスピーカと、
前記第１筐体の、前記第２筐体と重ね合わされる側の面に設けられた放音孔と、
前記第１筐体と前記第２筐体とを重ね合わせた状態で、前記第１筐体と前記第２筐体との間に設けられた放射部と、
前記放音孔が設けられている面に対して傾斜し、且つ、前記放射部に面する反射面と、を備えた携帯端末。
（２）第１筐体と、
前記第１筐体に重ね合わせ可能に連結された第２筐体と、
前記第１筐体に設けられたスピーカと、
前記第１筐体における、前記第２筐体と重ね合わされる側の面に設けられた放音孔と、を備えた携帯端末であって、
前記第１筐体と前記第２筐体とを重ね合わせた状態で、前記第１筐体と前記第２筐体との対向する面同士の端部に、前記放音孔の前記端部に近い側の縁部と前記第１筐体に対向する前記第２筐体の面との距離が、前記放音孔の前記端部の反対側の縁部と前記第１筐体に対向する前記第２筐体の面との距離より長い反射面が設けられた放射部が形成されていることを特徴とする携帯端末。
（３）前記第１筐体は情報を表示する表示部を有し、前記表示部が一対の短辺と一対の長辺とによって囲われた略長方形の面に形成された上記（１）又は（２）に記載の携帯端末。
（４）前記第１筐体が前記第２筐体に対して可動に連結され、前記第１筐体を前記表示部が形成された面の長手方向に移動させた状態で、前記第２筐体の露呈する面に第１操作部が設けられている上記（３）に記載の携帯端末。
（５）前記第２筐体に対して可動に連結された第３筐体を備え、前記第３筐体を前記表示部が形成された面の短手方向に移動させた状態で、前記第３筐体の露呈する面に第２操作部が設けられている上記（３）に記載の携帯端末。
（６）前記第１筐体及び前記第２筐体を前記第３筐体に対して同時にスライド移動させることができる上記（５）に記載の携帯端末。
（７）前記スピーカが、前記第１筐体の前記短辺近傍に少なくとも１個づつ設けられている上記（３）から（６）のいずれか１つに記載の携帯端末。
（８）前記第２筐体は、情報を表示する表示部を有し、前記表示部が一対の短辺と一対の長辺とによって囲われた略長方形の面に形成された長方体形状を有し、前記反射面が、前記短辺の少なくとも一方の角部を面取りした面である上記（１）又は（２）に記載の携帯端末。
【０００７】
本発明の携帯端末は、第１筐体と第２筐体とを有し、第１筐体には、スピーカの音を携帯端末の外部に響かせるための放音孔が形成されている。第１筐体と第２筐体とを重ね合わせた状態で、放音孔が、第１筐体における、第２筐体と重ね合わされる側の面に設けられている。また、第１筐体と第２筐体との間には放射部が形成され、放音孔から伝搬する音を反射させる反射面が放射部に面するように構成されている。すると、携帯端末を重ね合わせた状態で使用した際に、音が放音孔から反射面に向かって伝搬し、反射面で反射することで放射部から携帯端末の外部に伝搬する。このため、第１筐体の、第２筐体と重ね合わされる側とは反対側の面に情報を表示する表示部を形成すれば、第１筐体と第２筐体とを重ね合わせて使用する場合に、外観において放音孔が露出させることなく隠すことができ、また、放音孔から音が伝搬することが、第２筐体によって遮られてしまうことを回避することができる。
【発明の効果】
【０００８】
本発明によれば、デザイン性の自由度を確保するとともに、スピーカの音響性能が良好な携帯端末を提供できる。
【発明を実施するための最良の形態】
【０００９】
以下、本発明の実施形態を図面に基づいて詳しく説明する。
図１は、本発明にかかる携帯端末の使用形態の一例を示す全体斜視図である。図２は、図１に示す携帯端末をスライドさせた状態を示す全体斜視図である。図３は、図１に示す携帯端末をスライドさせた別の状態を示す全体斜視図である。図４は、携帯端末の筐体を他の筐体に対して傾斜（チルト）させた状態を示す全体斜視図である。図５は、図１の携帯端末のＡ−Ａ線方向視の全体断面図である。
【００１０】
携帯端末１は、第１筐体２と、第２筐体３と、第３筐体４とから概略構成されている。第１筐体２，第２筐体３，第３筐体４は、それぞれ一対の短辺と一対の長辺とに囲まれた長方形の面を有し、それぞれ略等しい長方体形状で構成されている。第１筐体２，第２筐体３，第３筐体４は、長方形の面同士を重ね合わせた状態とすることができる。
【００１１】
第１筐体２の外側に面した長方形の面には、携帯端末１の情報を表示して使用者に視認させる表示部５が形成されている。表示部５は、例えば、液晶ディスプレイなどを用いることができる。表示部５は、第１筐体２の外側に面した長方形の面の全面に形成されていてもよく、または、面の一部に形成されていてもよい。
【００１２】
本実施形態の携帯端末１は、第１筐体２，第２筐体３，第３筐体４のうち一部の筐体を他の筐体に対して相対的に移動させることができる構成である。以下、本実施形態では、その一例を説明する。
【００１３】
図２に示すように、携帯端末１の第１筐体２を第２筐体３の面に対してスライド移動させることができる。このとき、第３筐体４は、第２筐体３のスライドさせる面とは反対側の面に対して重ね合わされた状態のままとなる。第１筐体２を第２筐体３に対してスライドさせた状態で、第２筐体３のスライド側の面に第１操作部６が露呈する。以下の説明においては、図２に示すように、第１筐体２を、その長方形の面の長手方向側にスライドさせた状態を縦スライドというものとする。
【００１４】
図３に示すように、携帯端末１の第１筐体２及び第２筐体３をそれぞれ重ね合わせた状態のまま、第３筐体４に対して、第１筐体２の長方形の面の短手方向側にスライド移動させることができる。第１筐体２及び第２筐体３を第３筐体４に対して同時にスライド移動させた状態で、第３筐体４のスライド側の面に第２操作部７が露呈する。以下の説明においては、図３に示すように、第１筐体２及び第２筐体３を、第１筐体２の長方形の面の長手方向側にスライドさせた状態を横スライドというものとする。例えば、携帯端末１の使用時に、図２に示すように、第１筐体２を第２筐体３に対してスライド移動させた状態で、電話の通話操作などを行うことができ、ＴＶ視聴を行う際には、図３に示すように第１筐体２及び第２筐体３を第３筐体４に対して同時にスライド移動させた状態とすることができる。
【００１５】
このように、使用者は、携帯端末１の操作環境や表示させる情報の内容等に応じて、携帯端末１の縦スライド又は横スライドを選択することができる。そして、縦スライドのときには、表示部５を視認しながら第１操作部６によって操作することができ、横スライドのときには、表示部５を視認しながら第２操作部７によって操作することができる。
【００１６】
さらに、横スライドのときには、図４に示すように、第１筐体２及び第２筐体３を、第３筐体４の第２表示部７が形成された面に対して表示部５が形成された面を傾斜させた状態（チルト状態）となるように、立ち上げることができる。携帯端末１には、第１筐体２及び第２筐体３を、第３筐体４に対してチルト動作させるため、第２筐体３を支持しつつ回動するヒンジ部８が設けられている。
【００１７】
図５に示すように、第１筐体２の内部において、縦スライド方向の両方の端部（平面視した状態で、長方形の短辺近傍）には、スピーカ１１が内蔵されている。スピーカは、第１筐体２の短辺近傍に１個ずつ設けられていてもよく、短辺近傍にそれぞれ複数設けられていてもよい。スピーカ１１は、第１筐体２に取り付けられた状態で、スピーカ１１を第１筐体２に固定する固定部材も含めて、第１筐体２の厚さ以下となるように構成されている。
【００１８】
第１筐体２において、第２筐体３をスライドさせる側の面には、スピーカ１１から出た音を、第１筐体２の外へ伝搬させるための放音孔２１が開口している。
【００１９】
図６は、第１筐体のスライドさせる面を平面視した状態を示す図である。図６に示すように、本実施形態の携帯端末１では第１筐体２の縦スライド方向における端部に、略楕円形の放音孔２１を複数設けている。図６では、一方の端部のみ示しているが、放音孔２１は、第１筐体２の反対側の端部にも設けられている。また、放音孔２１は、スピーカの数と位置に応じて設けられ、形状や数は特に限定されない。図５に示すように、第１筐体２と第２筐体３とを重ね合わせた状態で、第１筐体２に設けられた放音孔２１が第２筐体３側に開口している構成であるため、外観に放音孔２１が露呈しない。例えば、携帯端末１を表示部５側からみた場合には、放音孔２１が露呈しない。
【００２０】
なお、第１筐体２には、表示部５を駆動する表示駆動部や、表示部５及びスピーカ１１の配線部が設けられているが、図５には示さず、省略している。
【００２１】
図７は、本発明にかかる携帯端末の第１実施形態の構成を示す要部断面図である。
図７は、携帯端末１をスライドさせていない状態、つまり、第１筐体２、第２筐体３、第３筐体４を互いに重ね合わせた状態を示している。
【００２２】
図７に示すように、第１筐体２と第２筐体３とを重ね合わせた状態で、第２筐体３における、第１筐体２側の面の端部で、且つ、放音孔２１の近傍に反射面３１が形成されている。反射面３１は、第２筐体３の短辺の角部一部面取りすることで形成されている。反射面３１は、第２筐体３の端部に向かって第１筐体２から離間するように傾斜している形状である。そして、第１筐体２と第２筐体３とを重ね合わせた面の端部には、音を携帯端末１の外部に伝搬させるための放射部１２が設けられており、反射面３１がこの放射部１２に面した構成となる。
【００２３】
なお、反射面３１は、第２筐体３の両方の端部に設けることがより好ましいが、いずれか一方にのみ設けることもできる。
【００２４】
言い換えると、本実施形態の携帯端末１は、第１筐体２と第２筐体３との間隔を大きくすることで放射部１２が形成され、放音孔２１が設けられている面（第１筐体２の図中下側面）に対して傾斜し、且つ、放射部１２に面する反射面３１が形成されている。
【００２５】
第１筐体２と第２筐体３とを重ね合わせた状態で、第１筐体２と第２筐体３との対向する面同士の端部において、放音孔２１の端部に近い側の縁部（図中右側の縁部）と第１筐体２に対向する第２筐体の面との距離をＬ２とし、放音孔２１の端部の反対側の縁部（図中左側の縁部）と第１筐体２に対向する第２筐体３の面との距離Ｌ１とする。携帯端末１には、距離Ｌ２が距離Ｌ１より長くなる形状の反射面３１が設けられた放射部１２が形成されている。
【００２６】
スピーカから音を発生させると、音は第１筐体２の内部から放音孔２１を通過して該第１筐体２の外部へ伝搬する。そして、音は反射面３１にぶつかり、放射部１２側へ反射され、放射部１２から携帯端末１の外部へ伝搬する。このとき、反射面３１は、放音孔から伝搬する音を携帯端末１の外部に向かってスムーズに伝搬させる機能を奏し、スピーカ１２から伝搬した音をスピーカ１２側へ反射させてしまうことを抑え、音が第１筐体２と第２筐体３との間に留まってしまうことによる音響性能の低下を抑制している。
【００２７】
このため、携帯端末１の外側にスピーカ１１の放音孔２１が露呈していないため、携帯端末１の外側面のデザイン性の自由度を確保することができる。また、使用者がいずれの筐体もスライドさせずに表示部５を視認している状態において、スピーカ１１の音が第２筐体３の反射面３１に反射され放射部１２から表示部５側へも伝搬するため、良好な音響性能を実現することができる。
また、図３に示すように第１筐体２及び第２筐体３を第３筐体４に対して同時にスライド移動させた状態とした場合でも、音が第１筐体２と第２筐体３との間に位置する反射面３１に反射して携帯端末１の外部へ伝搬させることできる。こうすれば、ＴＶ視聴時に第１筐体２及び第２筐体３を第３筐体４に対して同時にスライド移動させた状態のときに音が筐体自身に遮られることないため、使用者は、良好な音響性能で携帯端末１を使用することができる。
【００２８】
次に、本発明にかかる携帯端末の他の実施形態を示す。なお、以下に説明する実施形態において、すでに説明した部材などと同等な構成・作用を有する部材等については、図中に同一符号又は相当符号を付すことにより、説明を簡略化或いは省略する。以下の実施形態において、携帯端末の基本的な構造及び動作は同じである。
【００２９】
図８は、本発明にかかる携帯端末の第２実施形態の構成を示す要部断面図である。図８に示すように、第２筐体３の形状が第１筐体２に比べて小さく、第１筐体２と第２筐体３とを重ね合わせた状態で、第２筐体３の端部３ａが第１筐体２の端部２ａに比べて反対側に退避している形状である点で上記実施形態とは相違している。
【００３０】
本実施形態の携帯端末１は、上記第１実施形態と同様に、第２筐体３における、第１筐体２側の面の端部で、且つ、放音孔２１の近傍に反射面３１が形成されている。反射面３１は、第２筐体３の端部３ａの角部を面取りすることで形成されている。反射面３１は、第２筐体３の端部３ａに向かって第１筐体２から離間するように傾斜している形状である。第１筐体２と第２筐体３とを重ね合わせた面の端部には、音を携帯端末１の外部に伝搬させるための放射部１２が設けられており、反射面３１がこの放射部１２に面した構成となる。
【００３１】
このように、本実施形態の携帯端末１は、上記実施形態と同様に、第１筐体２と第２筐体３との間隔を大きくすることで放射部１２が形成され、放音孔２１が設けられている面（第１筐体２の図中下側面）に対して傾斜し、且つ、放射部１２に面する反射面３１が形成された構成である。
【００３２】
また、反射面３１は、放音孔２１の端部に近い側の縁部と第１筐体２に対向する第２筐体３の面との距離Ｌ２が、放音孔２１の端部の反対側の縁部と第１筐体２に対向する第２筐体３の面との距離Ｌ１より長い形状となり、この反射面３１が放射部１２に面するように設けられている。
【００３３】
本実施形態の携帯端末１の構成によれば、携帯端末１の外側にスピーカ１１の放音孔２１が露呈することを回避でき、携帯端末１の外側面のデザイン性の自由度を確保することができる。また、使用者がいずれの筐体もスライドさせずに表示部５を視認している状態において、スピーカ１１の音が第２筐体３の反射面３１に反射され放射部１２から表示部５側へも伝搬するため、良好な音響性能を実現することができる。
【００３４】
図９は、本発明にかかる携帯端末の第３実施形態の構成を示す要部断面図である。図９に示すように、第２筐体３の形状が第１筐体２に比べて小さく、第１筐体２と第２筐体３とを重ね合わせた状態で、第２筐体３の端部３ａが第１筐体２の端部２ａに比べて反対側に退避している形状である。また、本実施形態の携帯端末１は、上記第１実施形態と同様に、第２筐体３における、第１筐体２側の面の端部で、且つ、放音孔２１の近傍に反射面３１が形成されている。反射面３１は、第２筐体３の端部３ａの角部を面取りすることで形成されている。反射面３１は、第２筐体３の端部３ａに向かって第１筐体２から離間するように傾斜している形状である。また、第１筐体２と第２筐体３とを重ね合わせた面の端部には、音を携帯端末１の外部に伝搬させるための放射部１２が設けられており、反射面３１がこの放射部１２に面した構成となる。
【００３５】
本実施形態の携帯端末１は、第２筐体３の、第１筐体２側の面において、反射面３１と反射面３１以外の平坦な面との境界部分が放音孔２１と対応する位置にある。携帯端末１は、上記実施形態と同様に、第１筐体２と第２筐体３との間隔を大きくすることで放射部１２が形成され、放音孔２１が設けられている面（第１筐体２の図中下側面）に対して傾斜し、且つ、放射部１２に面する反射面３１が形成された構成である。また、放音孔２１の端部に近い側の縁部と第１筐体２に対向する第２筐体３の面との距離Ｌ２が、放音孔２１の端部の反対側の縁部と第１筐体２に対向する第２筐体３の面との距離Ｌ１より長い形状となり、この反射面３１が放射部１２に面するように設けられている。
【００３６】
本実施形態の携帯端末１の構成によれば、携帯端末１の外側にスピーカ１１の放音孔２１が露呈することを回避でき、携帯端末１の外側面のデザイン性の自由度を確保することができる。また、使用者がいずれの筐体もスライドさせずに表示部５を視認している状態において、スピーカ１１の音が第２筐体３の反射面３１に反射され放射部１２から表示部５側へも伝搬するため、良好な音響性能を実現することができる。
【００３７】
図１０は、本発明にかかる携帯端末の第４実施形態の構成を示す要部断面図である。本実施形態の携帯端末１は、上記第１実施形態と同様に、第２筐体３における、第１筐体２側の面の端部で、且つ、放音孔２１の近傍に反射面３１が形成されている。反射面３１は、第２筐体３の端部３ａの角部を面取りすることで形成されている。反射面３１は、第２筐体３の端部３ａに向かって第１筐体２から離間するように傾斜している形状である。また、第１筐体２と第２筐体３とを重ね合わせた面の端部には、音を携帯端末１の外部に伝搬させるための放射部１２が設けられており、反射面３１がこの放射部１２に面した構成となる。
【００３８】
本実施形態の携帯端末１は、第２筐体３の、第１筐体２側の面において、反射面３１と反射面３１以外の平坦な面との境界部分が放音孔２１と対応する位置にある。携帯端末１は、上記実施形態と同様に、第１筐体２と第２筐体３との間隔を大きくすることで放射部１２が形成され、放音孔２１が設けられている面（第１筐体２の図中下側面）に対して傾斜し、且つ、放射部１２に面する反射面３１が形成された構成である。また、放音孔２１の端部に近い側の縁部と第１筐体２に対向する第２筐体３の面との距離Ｌ２が、放音孔２１の端部の反対側の縁部と第１筐体２に対向する第２筐体３の面との距離Ｌ１より長い形状となり、この反射面３１が放射部１２に面するように設けられている。
【００３９】
本実施形態の携帯端末１の構成によれば、携帯端末１の外側にスピーカ１１の放音孔２１が露呈することを回避でき、携帯端末１の外側面のデザイン性の自由度を確保することができる。また、使用者がいずれの筐体もスライドさせずに表示部５を視認している状態において、スピーカ１１の音が第２筐体３の反射面３１に反射され放射部１２から表示部５側へも伝搬するため、良好な音響性能を実現することができる。
【００４０】
図１１は、本発明にかかる携帯端末の第５実施形態の構成を示す要部断面図である。図１１に示すように、第１筐体２の形状が第２筐体３に比べて小さく、第１筐体２と第２筐体３とを重ね合わせた状態で、第１筐体２の端部２ａが第２筐体３の端部３ａに比べて反対側に退避している形状である。また、本実施形態の携帯端末１は、上記第１実施形態と同様に、第２筐体３における、第１筐体２側の面の端部で、且つ、放音孔２１の近傍に反射面３１が形成されている。反射面３１は、第２筐体３の端部３ａの角部を面取りすることで形成されている。反射面３１は、第２筐体３の端部３ａに向かって第１筐体２から離間するように傾斜している形状である。また、第１筐体２と第２筐体３とを重ね合わせた面の端部には、音を携帯端末１の外部に伝搬させるための放射部１２が設けられており、反射面３１がこの放射部１２に面した構成となる。
【００４１】
携帯端末１は、上記実施形態と同様に、第１筐体２と第２筐体３との間隔を大きくすることで放射部１２が形成され、放音孔２１が設けられている面（第１筐体２の図中下側面）に対して傾斜し、且つ、放射部１２に面する反射面３１が形成された構成である。また、放音孔２１の端部に近い側の縁部と第１筐体２に対向する第２筐体３の面との距離Ｌ２が、放音孔２１の端部の反対側の縁部と第１筐体２に対向する第２筐体３の面との距離Ｌ１より長い形状となり、この反射面３１が放射部１２に面するように設けられている。
【００４２】
本実施形態の携帯端末１の構成によれば、携帯端末１の外側にスピーカ１１の放音孔２１が露呈することを回避でき、携帯端末１の外側面のデザイン性の自由度を確保することができる。また、使用者がいずれの筐体もスライドさせずに表示部５を視認している状態において、スピーカ１１の音が第２筐体３の反射面３１に反射され放射部１２から表示部５側へも伝搬するため、良好な音響性能を実現することができる。
【００４３】
また、本実施形態の携帯端末１は、第１筐体２の端部２ａが第２筐体３の端部３ａより退避しているため、反射面３１によって反射された音が第１筐体２の端部２ａによって遮られにくく、音を表示部５側により一層効率良く伝搬させることができる。
【００４４】
図１２は、本発明にかかる携帯端末の第６実施形態の構成を示す要部断面図である。図１２に示すように、第１筐体２の形状が第２筐体３に比べて小さく、第１筐体２と第２筐体３とを重ね合わせた状態で、第１筐体２の端部２ａが第２筐体３の端部３ａに比べて退避している形状である。また、本実施形態の携帯端末１は、上記第１実施形態と同様に、第２筐体３における、第１筐体２側の面の端部で、且つ、放音孔２１の近傍に反射面３１が形成されている。反射面３１は、第２筐体３の端部３ａの角部を面取りすることで形成されている。反射面３１は、第２筐体３の端部３ａに向かって第１筐体２から離間するように傾斜している形状である。また、第１筐体２と第２筐体３とを重ね合わせた面の端部には、音を携帯端末１の外部に伝搬させるための放射部１２が設けられており、反射面３１がこの放射部１２に面した構成となる。
【００４５】
携帯端末１は、上記実施形態と同様に、第１筐体２と第２筐体３との間隔を大きくすることで放射部１２が形成され、放音孔２１が設けられている面（第１筐体２の図中下側面）に対して傾斜し、且つ、放射部１２に面する反射面３１が形成された構成である。また、放音孔２１の端部に近い側の縁部と第１筐体２に対向する第２筐体３の面との距離Ｌ２が、放音孔２１の端部の反対側の縁部と第１筐体２に対向する第２筐体３の面との距離Ｌ１より長い形状となり、この反射面３１が放射部１２に面するように設けられている。
【００４６】
本実施形態において、反射面３１における第２筐体３の端部３ａ近傍には第１筐体２側へ面の一部が反り返ってなる返し部３１ａが形成されている。
【００４７】
本実施形態の携帯端末１の構成によれば、携帯端末１の外側にスピーカ１１の放音孔２１が露呈することを回避でき、携帯端末１の外側面のデザイン性の自由度を確保することができる。また、使用者がいずれの筐体もスライドさせずに表示部５を視認している状態において、スピーカ１１の音が第２筐体３の反射面３１に反射され放射部１２から表示部５側へも伝搬するため、良好な音響性能を実現することができる。
【００４８】
また、本実施形態の携帯端末１は、第１筐体２の端部２ａが第２筐体３の端部３ａより退避し、かつ、反射面３１の一部に第１筐体２側へ反り返った返し部３１ａが設けられている。このため、反射面３１によって反射された音が返し部３１ａにも反射するため、伝搬する音のうち、表示部５側へ反射しやすくなり、音をより一層効率良く伝搬させることができる。
【産業上の利用可能性】
【００４９】
本発明は、前述した実施形態に限定されるものではなく、適宜な変形、改良などが可能である。例えば、本体発明にかかる携帯端末は、ＰＤＡ（Personal Digital Assistant）などでもよい。
【図面の簡単な説明】
【００５０】
【図１】本発明にかかる携帯端末の使用形態の一例を示す全体斜視図である。
【図２】図１に示す携帯端末をスライドさせた状態を示す全体斜視図である。
【図３】図１に示す携帯端末をスライドさせた別の状態を示す全体斜視図である。
【図４】携帯端末の筐体を他の筐体に対して傾斜（チルト）させた状態を示す全体斜視図である。
【図５】図１の携帯端末のＡ−Ａ線方向視の全体断面図である。
【図６】第１筐体のスライドさせる面を平面視した状態を示す図である。
【図７】携帯端末の第１実施形態の構成を示す要部断面図である。
【図８】携帯端末の第２実施形態の構成を示す要部断面図である。
【図９】携帯端末の第３実施形態の構成を示す要部断面図である。
【図１０】携帯端末の第４実施形態の構成を示す要部断面図である。
【図１１】携帯端末の第５実施形態の構成を示す要部断面図である。
【図１２】携帯端末の第６実施形態の構成を示す要部断面図である。
【符号の説明】
【００５１】
１    携帯端末
２    第１筐体
３    第２筐体
４    第３筐体
５    表示部
６    第１操作部
７    第２操作部
１１  スピーカ
１２  放射部
２１  放音孔
３１  反射面
【図１】
2009038430.tif 000003
【図２】
2009038430.tif 000004
【図３】
2009038430.tif 000005
【図４】
2009038430.tif 000006
【図５】
2009038430.tif 000007
【図６】
2009038430.tif 000008
【図７】
2009038430.tif 000009
【図８】
2009038430.tif 000010
【図９】
2009038430.tif 000011
【図１０】
2009038430.tif 000012
【図１１】
2009038430.tif 000013
【図１２】
2009038430.tif 000014